Podtech/llm-jp-corpus-v4-ja_patent huggingface dataset:
(57)【要約】【課題】合成樹脂製シートを袋状に形成し、密閉用ファスナーとで構成された圧縮袋で、一袋の袋内に複数の収納物を種類毎や使用済または未使用など、分類別に収納する事が出来る圧縮袋を提供する。【解決手段】密閉用ファスナー付袋の、密閉用ファスナーと直角方向に袋形状を形成するための左右両端のヒートシール部とは別部分を、前記左右両端のヒートシール部と平行方向にヒートシールし、袋内部の空間を仕切り収納空間を複数作り分類別収納を可能とした。【選択図】図１
0003204395.tif 000002
【実用新案登録請求の範囲】
【請求項１】
合成樹脂製シートを袋状に形成し、密閉用ファスナーとで構成された圧縮袋で、密閉用ファスナーと直角方向に袋形状を形成するための左右両端のヒートシール部とは別部分を、前記左右両端のヒートシール部と平行方向に、仕切りヒートシールを設けた事を特徴とする圧縮袋。
【請求項２】
仕切りヒートシールが、密閉用ファスナーと直交していることを特徴とする請求項１記載の圧縮袋。
【請求項３】
仕切りヒートシールの長さは、左右両端のヒートシール部の長さより短い事を特徴とする請求項１記載の圧縮袋。
【考案の詳細な説明】
【技術分野】
【０００１】本考案は、合成樹脂製シートと密閉用ファスナーとで構成された圧縮袋に関するものである。
【背景技術】
【０００２】合成樹脂シートを袋状に形成し、密封用ファスナーとで構成された圧縮袋は一般的に提供されている。【０００３】しかし一般的な圧縮袋は、通常収納物を同一空間に収納する事は出来るが、複数の収納物を種類毎や使用済または未使用など分類別に収納する事は出来なかった。
【考案の概要】
【考案が解決しようとする課題】
【０００４】本考案の目的は、一袋の圧縮袋内部の空間を仕切り収納空間を複数作り、一袋の圧縮袋で分類別収納を可能とした、圧縮袋を提供する事である。
【課題を解決するための手段】
【０００５】上記目的を達成するために、前記袋の密閉用ファスナーと直角方向に袋形状を形成するための左右両端のヒートシール部とは別部分を、平行方向にヒートシールする事で収納空間を複数作り分類別収納を可能とした事を特徴とするものである。
【考案の効果】
【０００６】本考案の請求項１にあっては、密閉用ファスナー付の圧縮袋の、密閉用ファスナーと直角方向に袋形状を形成するための左右両端のヒートシール部とは別部分を、前記左右両端のヒートシール部と平行方向にヒートシールし、袋内部の空間を仕切り収納空間を複数作り分類別収納を可能とし、一袋の袋に複数の収納物を種類毎や使用済または未使用など分類別に収納する事が出来る。【０００７】請求項２にあっては、仕切りヒートシールを密閉用ファスナーと直交する事によって、密閉用ファスナーが複数に分かれる事により、それぞれ個別に圧縮する事が可能になる。【０００８】請求項３にあっては、仕切りヒートシールの長さが左右両端のヒートシール部の長さより短くする事によって、袋内部で仕切りをした状態で一度に圧縮する事が出来る。
【図面の簡単な説明】
【０００９】
【図１】  本考案に係る圧縮袋の平面図である。
【考案を実施するための形態】
【００１０】以下、本考案の望ましい実施の形態を図面に基づいて説明する。
【００１１】図１は本考案にかかる袋の平面図であり、図中符号１は収納物の出し入れ用の密閉用ファスナー、図中符号２は仕切り機能を果たす仕切りヒートシール部、図中符号３ａ、３ｂは左右両端のヒートシール部を示す。
【００１２】本考案にかかる袋は、ナイロンとポリエチレンから成る合成樹脂製シートに密閉用ファスナーを取り付け他の三辺をヒートシールし、袋状に構成されている。
【００１３】図中符号５は圧縮袋内の空気を抜くための逆止弁となっている。
【００１４】本考案の製造工程は、図１に示す様に、ナイロンとポリエチレンから成る合成樹脂製シートと、密閉用ファスナーを溶着し、底部及び左右両端のヒートシール及び、仕切り部をヒートシールし袋状に形成する。
【００１５】以上、本考案に係る圧縮袋の実施例について説明したが、本考案は上記実施例に限定されるものではなく適宜変形実施可能である。
【符号の説明】
【００１６】１  密閉用ファスナー
２  仕切りヒートシール
３ａ，３ｂ  左右両端のヒートシール
５  逆止弁
【図１】
0003204395.tif 000003
(57)【要約】      （修正有）【課題】火を灯さない状態でも透明感のある美観を有し、かつ、キャンドル自体が自立し、扱いやすいキャンドルを提供する。【解決手段】外側に着色していないワックスもしくは淡く着色したワックスで薄いワックスの層２を作り、その内側に外側の層よりも濃く着色したワックスを流し込み、外側ワックス層２から内側ワックス層３の色を透かして見せることで、透明感のある美観を有するものとする。外側ワックス層２に亀裂５を入れることで、更に透明感のある美観を有するものとする。【選択図】図２
0003204392.tif 000002
【実用新案登録請求の範囲】
【請求項１】
内側ワックス層とこれを覆う外側ワックス層からなり、外側ワックス層は着色していないもしくは淡く着色し、内側ワックス層は外側ワックス層よりも濃く着色し、外側ワックス層に亀裂を入れたことを特徴とするキャンドル。
【考案の詳細な説明】
【技術分野】
【０００１】本考案は、ジェル（ゼリー）ワックス以外のワックスで製作し、亀裂を入れたキャンドルに関するものである。
【背景技術】
【０００２】キャンドルは着火するとその光によりキャンドル自体に透過性が生まれるが、材料として用いられるワックスとは本来、不透明に白濁する性質を持つため、灯さない状態で透過性を有する美観を持たせることは不可能であった。
そのため、透過性を有して美観を持たせるために透明なゼリーワックスを用いたものがある（特許文献１参照）。
【先行技術文献】
【特許文献】
【０００３】
【特許文献１】実用新案登録第３１８７５９９号公報
【考案の概要】
【考案が解決しようとする課題】
【０００４】透明なゼリーワックスを用いることはできるが、ゼリー状のため自立は難しく表面がべたつくため、特許文献１のように、グラスなどの容器に入れるなど用途が限られる。
ゼリーワックス以外では、白濁や黄濁し、灯さない状態で透過性を持たせることができない。
よって、キャンドル自体が自立し、扱いやすいキャンドルであり、灯さない状態でも透明感を持たせた美観を有するキャンドルを提供することが課題である。
【課題を解決するための手段】
【０００５】上記課題を解決するために本考案は、内側ワックス層とこれを覆う外側ワックス層からなり、着色していないワックスもしくは淡く着色したワックスで外側ワックス層を作り、その内側に外側の層よりも濃く着色したワックスを流し込んで内側ワックス層を作り、外側ワックス層に亀裂を入れることを特徴とする。
【考案の効果】
【０００６】内側の層は着色していないワックスもしくは淡く着色したワックスで作られた外側の層があることにより、色を透かして見せることができ、外側の層に亀裂を入れることで奥行きがより引き出されるため、灯さない状態でも透明感を持たせた美観を有するキャンドルを提供することが可能である。
【図面の簡単な説明】
【０００７】
【図１】本考案のキャンドルの構造を示す正面図である。
【図２】図１における断面図である。
【考案を実施するための形態】
【０００８】以下、本考案のキャンドルを図面により説明する。なお実用新案登録請求の範囲を以下の記載に限定するものではない。
【０００９】図１は本考案のキャンドルの構造を示す正面図、図２は図１における断面図であり、これらの図に示すようにキャンドル１は、内側ワックス層３とこれを覆う外側ワックス層２からなり、外側ワックス層２と内側ワックス層３とは異なる着色のワックスで形成され、それらを貫通するように芯４が設けられている。
なお後述する亀裂５を理解しやすくするために、図２において外側ワックス層２は断面を表すハッチング（斜線）を記載していない。
【００１０】外側ワックス層２は、無着色（透明）が好ましいが、内側ワックス層３が透けて見える程度であれば淡い色の着色でも可能である。
【００１１】内側ワックス層３は、外側ワックス層２よりも濃い色で着色されている。
【００１２】外側ワックス層２と内側ワックス層３を上記のように着色することで、内側ワックス層３の色を透かして見せることができるため、灯さない状態でも透明感を持たせた美観を有するキャンドルを提供することが可能である。
【００１３】更に灯さない状態でも透明感を持たせた美観を有するように、外側ワックス層２に亀裂５を入れる。図１及び２において亀裂５は破線で表している。亀裂５を入れることで、キャンドル１の置かれた空間の光が内部ワックス層３に届きやすくなり、内部ワックス層３の奥行き方向が引き出される（内部ワックス層３が明確に認識され、近づいて存在するように見える）ため、更に透明感を持たせた美観を有したキャンドルを提供することが可能である。
【００１４】亀裂５は図２に示すように外側ワックス層２の表面から内面（内側ワックス層３の表面に接する面）まで入れることが好ましい。更に亀裂５は内側ワックス層３の内部まで達してもかまわない。
亀裂５はキャンドル１が欠けるまたは崩れないようにし、外側ワックス層２の全面に入れることが好ましいが、製作者の意図に応じてどのような位置でも良く、例えば正面のみでもかまわない。
【００１５】図２において外側ワックス層２は内側ワックス層３の底面は覆っていない。このように、外側ワックス層２は内側ワックス層３のすべてを覆う必要はなく、少なくとも正面、背面左側面及び右側面が覆われていれば良い。天井面が覆われていれば更に良い。
覆う厚さは任意であるが、内側ワックス層３の色をより多く透かして見せるためには薄いほうが好ましい。
【００１６】外側ワックス層２及び内側ワックス層３の形状は、図２に示すような直方体形状である必要はなく、［００１５］に記載のように外側ワックス層２が内側ワックス層３を覆っていれば、製作者の意図に応じてどのようなものであっても良く、例えば三角柱形状や球形状としてもよいが、外側ワックス層２は柱形状とするのが自立しやすく扱いやすいため好ましい。
また外側ワックス層２と内側ワックス層３で形状が異なっていても良く、例えば外側ワックス層２を三角柱形状、内側ワックス層３を球形状としてもかまわない。
【００１７】なお、図１及び２に示したキャンドル１は、外側ワックス層２と内側ワックス層３の２層からなる場合を示したが、上記の本考案の主旨に沿って３層以上で構成しても良い。
【符号の説明】
【００１８】１    キャンドル
２    外側ワックス層
３    内側ワックス層
４    芯
５    亀裂
【図１】
0003204392.tif 000003
【図２】
0003204392.tif 000004
(57)【要約】      （修正有）【課題】空のプラスチックボトルからキャップを取り外すことができるキャップリムーバー装置のガイド機構を提供する。【解決手段】空のプラスチックボトル１３を片手で持ち、ボトルガイド１１にボトルの首部分を合わせてボトル受け８に乗せ、上より下へ押し下げるだけで、ボトルよりキャップが外れる。【選択図】図１
0003204394.tif 000002
【実用新案登録請求の範囲】
【請求項１】
空のプラスチックボトルよりキャップを外す作業で、ボトルを手で持ち高速回転するスプロケットの間を、上から下え通過させ、キャップを両側の回転するスプロケットの歯で当て外し、キャップとスプロケットの歯が直角に当たる様に、ボトルの姿勢を水平に保持しながら上下移動させるガイド機構
【考案の詳細な説明】
【技術分野】
【０００１】リサイクル業界で、空のプラスチックボトルよりキャップを外す作業で、大量の数をこなす事を目的としている。ボトルは形状及び大きさがばらばらに混じっているので、機械化処理が難しい。
手作業でも高速に処理したい要望がある。
【背景技術】
【０００２】リサイクル業界で現在使用している機器は、プラスチックボトルを機器の差し込み口に、ボトルを手で持ちキャップ部に差し込むと、刃物がキャップ先端に突き刺さり、刃物が回転してキャップがボトルより外れ、ボトルを引き抜くと、内臓されているスプリングの作用によりキャップが、機器の差し込み口より飛び出してくる機構の為に時間がかかり、又  刃物が摩耗して度々交換する必要がある。
【先行技術文献】
【特許文献】
【０００３】
【特許文献１】
【特許文献２】
【非特許文献】
【０００４】
【非特許文献１】ベルテック製品カタログ  とるぞうくん
【非特許文献２】物井工機製品カタログＰＥＴボトルキャップ外し機
【考案の概要】
【考案が解決しようとする課題】
【０００５】手作業で１ケを処理する時間を短縮する。
刃物の交換の回数を少なくする。
【課題を解決するための手段】
【０００６】高速で回転する２ケのスプロケットを使用し、スプロケットの間を通過させる事で、キャップをを外す事が出来る。スプロケットの歯先は焼き入れされている為耐久力があり、スプロケットの歯は、歯と歯の間は間隙が有り、キャップのカス等が付きにくい。ボトルを水平に手で持ち、キャップをスプロケットの歯と直角に当てる為にボトルを支持してガイドするボトルガイド及び上下移動機構
【考案の効果】
【０００７】現在市販され使用されている機器より処理時間が短縮される。
焼き入れスプロケットを使用し、スプロケットの歯は厚いので、交換期間が長くなる。
【図面の簡単な説明】
【０００８】
【図１】  本考案のキャップリムーバー装置の実施例を示す正面図である。
【図２】  キャップリムーバー装置上面断面図である。
【図３】  キャップリムーバー装置側面断面図である。
【考案を実施するための形態】
【０００９】空のプラスチックボトルを片手で持ち、ボトルガイドに合わせてボトルをボトル受けに乗せ、上より下へ押し下げるだけで、ボトルよりキャップが外れる。
【実施例】
【００１０】モーター１の回転は、小プーリー２によりベルト３を回転させ、２ケの別々に配置された、ベアリングハウジング４に保持された、回転軸５の大プーリ６に伝達され、回転軸５のスプロケット７は同方向回転する。
本体正面のボトル受け８の両側に設けられたリニアシャフト９には、リニアベアリング１０が組み付けられて、上下に移動出来る。又ボトル受け８は、ボトルをボトルガイド１１より外すと、リニアシャフト９に取り付けられたスプリング１２により元の位置に自動で戻る。
【産業上の利用可能性】
【００１１】ＰＥＴボトルのリサイクル業界で使用される。
【符号の説明】
【００１２】  １    モーター
２    小プーリー
３    ベルト
４    ベアリングハウジング
５    軸
６    大プーリー
７    スプロケット
８    ボトル受け
９    リニアシャフト
１０    リニアベアリング
１１    ボトルガイド
１２    スプリング
１３    プラスチックボトル
【図１】
0003204394.tif 000003
【図２】
0003204394.tif 000004
【図３】
0003204394.tif 000005
(57)【要約】      （修正有）【課題】ペーパーの摘み代が、常に、見えている、上、下２枚のカバープレートを有するトイレットペーパーホルダーにおいて、下カバープレートの構成部品の簡素化と形状の一部改良により、簡単に製作できるようにする。【解決手段】上、下２枚で構成されたカバープレートの、下カバープレートの基板中央部上面に設けている従来の滑車に変えて、凸型の突起部３を設け、凸形の突起部３のスベリまさつで、上カバープレートの前進スライド移動を可能とし、上カバープレートの連結手の受け止め部位を、下カバーの基板の両側面の切欠き部１０のみとし、下カバープレートの最先端周辺部を鋭利な爪形７とすることにより、ロールペーパー本体の逆回転防止効果を向上させる。ペーパーホルダーの製造コストの低減と保守管理の必要性が激減し、且つ、ペーパーの摘み代を確実に残すことができる。【選択図】図１
0003204398.tif 000002
【実用新案登録請求の範囲】
【請求項１】
ロールペーパーの筒芯を両側から保持し、カバープレートを枢支する側板を有するロールペーパーホルダーで、前方部を弾性を有する薄板とした基板で側板に枢支された下カバープレートと、下カバープレートの基板の上側で、前方にスライド可能な基板で、その先端部をペーパーカッターとする上カバープレートとを、牽引部材で連結し、上カバープレートの先端の刃先と、下カバープレートの先端部の薄板の先端とが接する形で、両カバープレートを、上、下に組み合わせて、一体として、カバープレートとしたペーパーホルダーにおいて、下カバープレートの基板の上面の両側辺近傍に複数個の凸形の突起部を設け、常に、ロールペーパー本体に接している下カバープレートの前方部の弾性を有する薄板の先端部の周辺を、複数の鋭利な爪形とし、下カバープレートの基板の両側面に切欠き部を作り、上カバープレートの鉤形の連結手を受け止める部位とした下カバープレートを特徴とするロールペーパーホルダー。
【考案の詳細な説明】
【技術分野】
【０００１】  本考案は、トイレットペーパーホルダーの操作手順の一部である、ロールペーパーの前回の切断縁を見出し、摘み出す動作を簡略化するため、カバープレートを、上、下２枚で構成したトイレットペーパーホルダーの改善に関するものである。
【背景技術】
【０００２】  現在、上、下２枚のカバープレートで構成されているトイレットペーパーホルダーは、下カバープレートの基板の上側に設けた複数個の小型滑車で、上カバープレートを円滑に前進移動可能としている。又、下カバープレートの先端部の直線的な周辺が、常に、ロールペーパー本体に接しており、上カバープレートが、ペーパー切断後、急速に後方移動するとき、ロールペーパー本体を、逆回転させようとする作用を、阻止しているのである。（例えば、特許文献１参照。）
【先行技術文献】
【特許文献】
【０００３】
【特許文献１】  公開特許公報  特開２０１５−２７５７４
【考案の概要】
【考案が解決しようとする課題】
【０００４】  下カバープレートの上側で、上カバープレートを円滑にスライド移動可能にするため、下カバープレートの基板中央部の上側の両側辺近傍に複数個の滑車を設けているが、小型軽量の滑車のため、常に、保守管理の必要がある。【０００５】  又、下カバープレートの前方部の弾性を有する薄板の先端は、常に、ロールペーパー本体に接しており、上カバープレートがペーパーカット直後、急速に後方移動するとき、ロールペーパー本体を逆回転させようとするが、その作用を下カバープレートの先端部が完全に阻止しなければならない。
【課題を解決するための手段】
【０００６】  本考案は、上記目的を達成するために、ロールペーパーの筒芯を両側から保持し、カバープレートを枢支する側板を有するロールペーパーホルダーで、前方部を弾性を有する薄板とした基板で側板に枢支された下カバープレートと、下カバープレートの基板の上側で、前方にスライド可能な基板で、その先端部をペーパーカッターとする上カバープレートとを、牽引部材で連結し、上カバープレートの先端の刃先と、下カバープレートの先端部の薄板の先端とが接する形で、両カバープレートを、上、下に組み合わせて、一体として、カバープレートとしたペーパーホルダーにおいて、下カバープレートの基板の上面の両側辺近傍に複数個の凸形の突起部を設け、常に、ロールペーパー本体に接している下カバープレートの前方部の弾性を有する薄板の先端部の周辺を、複数の鋭利な爪形とし、下カバープレートの基板の両側面に切欠き部を作り、上カバープレートの鉤形の連結手を受け止める部位とした下カバープレートとする。
【考案の効果】
【０００７】  上述の様に、本考案の下カバープレートは、小型滑車の廃止により、簡単な構成部品となり保守管理の必要性が激減し、又、下カバープレートの先端部が爪形のため、効果的にロールペーパー本体の逆回転の動作の防止に役立つのである。
【図面の簡単な説明】
【０００８】
【図１】  本考案の下カバープレートの斜視図。
【図２】  本考案の下カバープレートと組合わせる、上カバープレートの斜視図。
【図３】  従来の下カバープレートの斜視図。
【図４】  本考案の下カバープレートと、上カバープレートとを組み合わせたトイレットペーパーホルダーの側面図。
【図５】  ペーパーカット時の実施形態を示すロールペーパーホルダーの一部欠損した斜視図。
【考案を実施するための形態】
【０００９】  下カバープレートの基板中央部の上面の両側辺近傍に複数個の凸形の突起部を設け、突起部の先端で、スベリまさつで上カバープレートの前進移動を可能とし、又、下カバープレートの前方部のやや下向きの先端部周辺を、複数の鋭利な爪形として、ロールペーパー本体に接する形とする。又、下カバープレートの基板の両側面は、切欠き部のみとする。
【実施例】
【００１０】  以下、添付図面に従って、一実施例を説明する。図１に示す、本考案の下カバープレート１の中央部基板２に凸形をした突起部３を設け、その頂上部分で、図２に示す、上カバープレート４を、スベリまさつで、前進移動させるものとし、又、下カバープレートの基板先端部５のやや下向き周辺６を鋭利な爪形７とし、ロールペーパー本体８に、常に、接する状態とし、ロールペーパー本体が、逆回転しようとする時、本体に、くい込む作用を強めるものとし、又、下カバープレートの基板本体側面９の切欠き部１０で、上カバープレートの鉤形の連結手１１との組み合わせ部分とする。
【符号の説明】
【００１１】  １    下カバープレート
２    下カバープレートの中央部基板
３    凸形をした突起部
４    上カバープレート
５    下カバープレートの基板先端部
６    やや下向き周辺
７    鋭利な爪形
８    ロールペーパー本体
９    下カバープレートの基板本体側面
１０  切欠き部
１１  鉤形の連結手
１２  牽引部材
１３  切断されるロールペーパー
１４  側板
１５  背面板
１６  従来の小型滑車
１７  従来の彫り欠き部
【図１】
0003204398.tif 000003
【図２】
0003204398.tif 000004
【図３】
0003204398.tif 000005
【図４】
0003204398.tif 000006
【図５】
0003204398.tif 000007
(57)【要約】      （修正有）【課題】噴霧ノズルが蓋で覆われ保護される蓋付きフェイススチーマーを提供する。【解決手段】フェイススチーマーにおいて、フェイススチーマー本体１０と、蓋２０と、ピン軸とを含み、フェイススチーマー本体１０の上端には、取付孔が形成された２つの支持柱１１が設けられており、蓋２０の縁部には、軸孔が形成された軸スリーブ２１が固設されており、ピン軸は、軸スリーブ２１の軸孔に挿通されており、その両端部がそれぞれ軸スリーブ２１の両端部から両支持柱１１の取付孔内に突出して固定されており、軸スリーブ２１を回転可能に支持している。【選択図】図３
0003204315.tif 000002
【実用新案登録請求の範囲】
【請求項１】
フェイススチーマーであって、
フェイススチーマー本体と、蓋と、ピン軸とを含み、
前記フェイススチーマー本体の上端には、取付孔が形成された２つの支持柱が設けられており、
前記蓋の縁部には、軸孔が形成された軸スリーブが固設されており、
前記ピン軸は、前記軸スリーブの前記軸孔に挿通されており、その両端部がそれぞれ前記軸スリーブの両端部から前記２つの支持柱の前記取付孔内に突出して固定されており、前記軸スリーブを回転可能に支持している、
ことを特徴とするフェイススチーマー。
【請求項２】
前記フェイススチーマー本体は、噴霧ノズルが設けられた凹状傾斜面を有しており、
前記蓋は、前記噴霧ノズルを開閉可能に覆うように設けられている、
ことを特徴とする請求項１に記載のフェイススチーマー。
【請求項３】
前記蓋の表面には、鏡が設けられている、
ことを特徴とする請求項１又は２に記載のフェイススチーマー。
【考案の詳細な説明】
【技術分野】
【０００１】
本考案は、美容器具の技術分野に関し、特にフェイススチーマーに関する。
【背景技術】
【０００２】
フェイススチーマーは、現在、肌に水分を補給するための美容器具としてよく使われる。その基本原理は、化粧水などをナノスケールの温かい霧状微粒子に変換して肌に噴霧することで、毛穴を広げ奥から汚れなどを取り除くとともに、水分などを吸収することである。このようにして、蒸気の温熱で血行促進の作用を付与するとともに、クレンジング、水分補給、及び美容液の浸透を促進することにより、ハリや弾力、くすみ、乾燥による小ジワが目立たなくなるなどの効果が期待できる。
【考案の概要】
【考案が解決しようとする課題】
【０００３】
本考案の目的は、噴霧ノズルが蓋で覆われ保護される蓋付きフェイススチーマーを提供することにある。
【課題を解決するための手段】
【０００４】
上記課題を解決するために、本考案は以下のものを提供する。
【０００５】
フェイススチーマーにおいて、フェイススチーマー本体と、蓋と、ピン軸とを含み、上記フェイススチーマー本体の上端には、取付孔が形成された２つの支持柱が設けられており、上記蓋の縁部には、軸孔が形成された軸スリーブが固設されており、上記ピン軸は、軸スリーブの軸孔に挿通されており、その両端部がそれぞれ軸スリーブの両端部から両支持柱の取付孔内に突出して固定されており、軸スリーブを回転可能に支持している。
【０００６】
好ましくは、上記フェイススチーマーは、噴霧ノズル内藏型スチーマーであり、上記フェイススチーマー本体は、噴霧ノズルが設けられた凹状傾斜面を有しており、上記蓋は、上記噴霧ノズルを開閉可能に覆うように設けられている。
【０００７】
好ましくは、上記蓋の表面には、鏡が設けられてもよい。
【考案の効果】
【０００８】
本考案によると、噴霧ノズルが蓋で覆われ保護されることで、汚れや傷などによる噴霧ノズルの損傷を防止することができる。さらに、例えば、蓋に鏡の機能を与えることで、フェイススチーマーの使用性を一層向上することができる。
【図面の簡単な説明】
【０００９】
【図１】図１は、本考案の好適な実施形態に係るフェイススチーマーの斜視図である。
【図２】図２は、本考案の好適な実施形態に係るフェイススチーマーの平面図である。
【図３】図３は、本考案の好適な実施形態に係るフェイススチーマーの側面図である。
【考案を実施するための形態】
【００１０】
図１〜３は、本考案の好適な実施形態の具体的な構造を示す。図１〜３に示すように、フェイススチーマーは、フェイススチーマー本体１０と、蓋２０と、ピン軸３０とを含む。
【００１１】
図１及び図２に示すように、上記フェイススチーマー本体１０の上端には、取付孔が形成された２つの支持柱１１が設けられており、上記蓋２０の縁部には、軸孔が形成された軸スリーブ２１が固設されている。
【００１２】
上記ピン軸３０は、外径が上記軸スリーブ２１の軸孔の内径及び上記支持柱１１の取付孔の内径と合致するように構成されており、軸スリーブ２１の軸孔に挿通されており、その両端部がそれぞれ軸スリーブ２１の両端部から両支持柱１１の取付孔内に突出して固定されており、軸スリーブ２１を回転可能に支持している。
【００１３】
図３に示すように、本実施形態に係るフェイススチーマーは、噴霧ノズル内藏型スチーマーである。上記フェイススチーマー本体１０は、噴霧ノズル（図示せず）が設けられた凹状傾斜面１２を有している。上記蓋２０は、当該噴霧ノズルを開閉可能に覆うように設けられている。
【００１４】
また、上記蓋２０の表面には、鏡が設けられてもよい。このようにして、フェイススチーマーの使用性を一層向上することができる。
【００１５】
蓋２０を閉めたまま使用するときに、噴霧ノズルからの蒸気は、蓋２０と凹状傾斜面１２との間の隙間から噴出して、均一に顔などに当たることになる。
【００１６】
また、蓋２０を開けて軸スリーブ２１がピン軸３０に対して回転することで、凹状傾斜面１２に設けられた噴霧ノズルを露出させ、蒸気をその噴霧ノズルから噴出させてもよい。その凹状傾斜面は、噴出した蒸気の流れを真正面に集合して、蒸気の周辺への広がりを防止する機能を有するため、美容効果をさらに向上することができる。
【００１７】
以上のように、本考案によると、噴霧ノズルが蓋で覆われ保護されることで、汚れや傷などによる噴霧ノズルの損傷を防止することができる。さらに、例えば、蓋に鏡の機能を与えることで、フェイススチーマーの使用性を一層向上することができる。
【００１８】
以上、本考案の好適な実施形態について詳しく説明したが、本考案は、上述した好適な実施形態に限定するものではない。本考案の要旨と原則内にあるものであれば、いかなる修正、均等交換、改良等があっても、本考案の保護範囲内に含まれるべきである。
【符号の説明】
【００１９】
１０        フェイススチーマー本体
１１        支持柱
１２        凹状傾斜面
２０        蓋
２１        軸スリーブ
３０        ピン軸
【図１】
0003204315.tif 000003
【図２】
0003204315.tif 000004
【図３】
0003204315.tif 000005
(57)【要約】      （修正有）【課題】巻物に成ったカレンダーを包装して、輸送する時の袋において、底抜けが無く、カレンダーが袋部より外にはみ出すことが無いカレンダー輸送用袋を提供する。【解決手段】巻物に成ったカレンダーを輸送する時の袋において、第一パネル１と第二パネル２の両横、及び底部を接続された袋の第一パネル１の表面に切手、及び消印、宛名を貼ったり、書いたりすることが出来る印刷部５を備えたことを特徴とする。上記の袋は、切手、消印、及び宛名を貼ったり、書いたりすることが出来るため、郵便用包装袋としても使用できる。【選択図】図１
0003204356.tif 000002
【実用新案登録請求の範囲】
【請求項１】
巻物に成ったカレンダーを輸送する時の袋において、第一パネルと第二パネルの両横、及び底部を接続された袋の、第一パネルの表面に切手、及び消印、宛名を貼ったり、書いたりすることが出来る、カレンダー輸送用袋の考案である。
【考案の詳細な説明】
【考案の詳細な説明】
【技術分野】
【０００１】  本考案は、巻物に成ったカレンダーを輸送する時の袋に関する考案である。
【考案が解決しようとする課題】
【０００２】  巻物に成ったカレンダーを包装して、輸送する時の袋において、第一パネルと第二パネルの両横の接続をされていた袋は有るが、底部を接続された袋が無いため、袋から、カレンダーが上下にはみ出ることがある。
【０００３】  巻物に成ったカレンダーを包装して、輸送する時の袋において、第一パネルの表面に切手、及び消印、宛名を貼ったり、書いたりすることが出来無い。
【課題を解決するための手段】
【０００４】巻物に成ったカレンダーを包装して、輸送する時の袋において、第一パネルと第二パネルの両横、及び底部を接続されたカレンダー輸送用袋。
【０００５】  上記、第一パネルの表面に切手、及び消印、宛名を貼ったり、書いたりすることが出来る、印刷を加工された、カレンダー輸送用袋。
【０００６】  上記、第一パネルの表面に切手、及び消印、宛名を貼ったり、書いたりすることが出来る、白紙のシールを貼り付けた、カレンダー輸送用袋。
【考案の効果】
【０００７】  巻物に成ったカレンダーを包装して、輸送する時の袋において、第一パネルと第二パネルの両横、及び底部を接続されているため、底抜けが無く、袋の挿入部を巻物に成ったカレンダーの内部に折り込むことにより、包装用袋よりカレンダーが袋部より外に抜け出すことが無い。
【０００８】  上記、第一パネルの表面に切手、及び消印、宛名を貼ったり、書いたりすることが出来る、印刷を加工されているため、切手、及び消印、宛名を貼ったり、書いたりすることが出来る、カレンダー輸送用袋。
【０００９】  上記の袋は、切手、消印、及び宛名を貼ったり、書いたりすることが出来るため、郵便用包装袋としても使用できる。
【考案の実施するための形態】
以下、本方法の実施の形態を図面を参照しながら詳細に説明する。なお、以下の説明にあたって、同一構成要件については、同一符号を付けて、重複した説明を省略する。
【００１０】  本考案は、第一パネル１と第二パネル２の両横３、及び底部４が接続されている、よって、袋部が形成されている。
【００１１】  上記の袋部に、巻かれた、カレンダーを挿入し、袋部の上部を巻かれたカレンダーの内部に折り込む６ことによつて、カレンダーが袋部より上下にはみ出すことが無い。
【００１２】  上記、第一パネル１の表面に切手、及び消印、宛名を貼ったり、書いたりすることが出来る、印刷を加工５されている。カレンダー輸送用袋。
【００１３】  上記の袋は、切手、及び消印、宛名を貼ったり、書いたりすることが出来るため、郵便用輸送袋としても使用できる。
【００１４】  上記袋は、巻物になつたカレンダーの輸送用袋である。
【図面の簡単な説明】
【００１５】
【図１】は正面図。
【図２】は袋のカレンダー内部の折込部
【符号の説明】
【００１６】    １  第一パネル
２  第二パネル
３  第一パネルと第二パネルの両横接続部
４  第一パネルと第二パネルの底部接続部
５  第一パネルの表面に切手、及び宛名を貼るための印刷部
６  袋の上部をカレンダーの内部に折り込む。
【図１】
0003204356.tif 000003
【図２】
0003204356.tif 000004
【手続補正書】
【提出日】平成28年2月26日(2016.2.26)
【手続補正１】
【補正対象書類名】実用新案登録請求の範囲
【補正対象項目名】全文
【補正方法】変更
【補正の内容】
【実用新案登録請求の範囲】
【請求項１】
巻物に成ったカレンダーを輸送する時の袋において、第一パネルと第二パネルの両横、及び底部を接続された袋の第一パネルの表面に切手、及び消印、宛名を貼ったり、書いたりすることが出来る印刷部を備えたことを特徴とするカレンダー輸送用袋の考案である。
(57)【要約】      （修正有）【課題】外耳道内の通気性を良くするために、垂れ耳犬の垂れ耳を持ち上げることを犬に違和感なく行えることが重要でありそれが容易にできる垂れ耳犬用耳上げサポーターを提供する。【解決手段】通気性の良いメッシュ素材でできた頬っ被り状の縫製物に、垂れ耳を出すための穴３Ａ，３Ｂを設け、その穴の間隔を容易に調整できる仕組みと、長さ調節のできる顎紐により軽量な垂れ耳犬用耳上げサポーターを構成することにより、垂れ耳を容易に持ち上げることが可能となり、かつ犬に違和感を与えず装着できることを特徴とする。【選択図】図１
0003204355.tif 000002
【実用新案登録請求の範囲】
【請求項１】
垂れ耳犬の垂れ耳を持ち上げて、耳孔内の通気性を良くするための垂れ耳犬用耳上げサポーター。
【考案の詳細な説明】
【技術分野】
【０００１】  本考案は、垂れ耳犬の頭部に付け垂れ耳を上げて耳孔内の通気性を良くするための垂れ耳犬耳上げサポーターに関するものである。
【背景技術】
【０００２】  従来、垂れ耳犬の耳を上げる器具はあまり存在せず、あったとしてもその構造は複雑で部品点数も多く、垂れ耳を棒状フレームで持ち上げる構造に犬が違和感なく装着できるか疑問が残るものであった。
【先行技術文献】
【特許文献】
【０００３】
【特許文献１】  特開２００９−２１９４３１（Ｐ２００９−２１９４３１Ａ）公報
【考案の概要】
【考案が解決しようとする課題】
【０００４】  垂れ耳犬にありがちなマラセチア酵母菌に感染しての外耳炎は、外耳道内の通気性が悪いのがその発症要因の一つであり、通気性の悪さがその治療を困難にしている重要な原因である。外耳道内の通気性を良くするために、垂れ耳犬の垂れ耳を持ち上げることを犬に違和感なく行えることが重要である。
本考案は、従来の欠点に鑑み、部品点数が少なく単純な構造かつ軽量で犬が違和感なく装着でき耳孔内の通気性をよくすることができる垂れ耳犬用耳上げサポーターを提供する事を目的としている。
【課題を解決するための手段】
【０００５】  上記の目的を達成するために、本考案は、通気性の良いメッシュ素材でできた頬っ被り状の縫製物に適切な位置に開いている垂れ耳を出すための穴の間隔を紐とコードストッパーにより容易に調整できる仕組みと、長さ調節のできる顎紐で軽量な垂れ耳犬用耳上げサポーターを構成している。
【考案の効果】
【０００６】  以上の説明から明らかなように、本考案にあっては次に列挙する効果が得られる。
（１）頬っ被り状の縫製物の穴から垂れ耳を出すことにより、垂れ耳の位置が通常時の位置より浮かせることができ、かつ耳孔をガードするメッシュ素材が通気性に優れるため耳孔内を蒸らすことなく悪臭の発生防止や外耳炎の予防が可能となる。また外耳炎に掛かってしまってる場合の治療に有効である。【０００７】（２）頬っ被り状の縫製物という単純で軽量、かつ軟質な素材での構成なため、犬が装着中違和感を感じ難く、犬自らそれを取ってしまうことがなく安心して外耳炎の予防及び治療をすることが可能である。
【図面の簡単な説明】
【０００７】
【図１】  本考案の実施図である。
【図２】  本考案の外観図である。
【考案を実施するための形態】
【０００８】  以下、本考案の実施の形態を図に基づいて説明する。
図１は本考案品の実施例を表している。メッシュ素材でできている頬っ被り状の縫製物の適切な場所に開いている２つの垂れ耳出し穴（３Ａ、３Ｂ）から犬の垂れ耳を出すことにより、垂れ耳を通常時の位置より浮かすことができ、または２つの垂れ耳出し穴（３Ａ、３Ｂ）の位置の間隔を調整することにより垂れ耳を上部に持ち上げることが可能となる。
図２は本考案品の外観図である。その構造を以下に説明する。ポリエステル素材のメッシュでできた本体１の外側周囲の縁を綿素材布でできた外周補強布２Ａで補強し容易に破れない本体を形成し、その内部に犬の耳の間隔に合わせ適当な位置に開けた穴３Ａと穴３Ｂの内側周囲を綿素材布でできた内周補強布２Ｂで補強した垂れ耳出し穴を２個設け、その２個の垂れ耳出し穴の位置間隔を調整するための仕組み４を、摘み具４Ｃの付いた紐４Ｂをコードストッパー４Ａに通しそのそれぞれの両端を本体１に縫い付けた布トンネル４Ｄに潜らせ垂れ耳出し穴付近で縫い付固定することにより形成する。さらに本体１の長手方向端部には顎紐となるべく右側ゴム状ベルト５Ａと左側ゴム状ベルト５Ｂが縫い付けられており、その一方の端部にプラスチックバックル雄６Ａを装備し、そのもう一方の端部にフラスチックバックル雌６Ｂを装備することによりワンタッチで両者を締結できる構造を形成し、その一方にアジャスター７を装備し顎紐となるゴム状ベルトの長さを調整できる構造となる。本考案品の全体の大きさは、大型犬・中型犬・小型犬でそれぞれ異なる。
【符号の説明】
【０００９】  １          本体
２Ａ        外周補強布
２Ｂ        内周補強布
３Ａ，３Ｂ  垂れ耳出し穴
４          垂れ耳出し穴間隔調整仕組み
４Ａ        コードストッパー
４Ｂ        紐
４Ｃ        摘み具
４Ｄ        布トンネル
５Ａ        右側ゴム状ベルト
５Ｂ        左側ゴム状ベルト
６Ａ        プラスチックバックル雄
６Ｂ        プラスチックバックル雌
７          アジャスター
【図１】
0003204355.tif 000003
【図２】
0003204355.tif 000004
【手続補正書】
【提出日】平成28年3月4日(2016.3.4)
【手続補正１】
【補正対象書類名】実用新案登録請求の範囲
【補正対象項目名】全文
【補正方法】変更
【補正の内容】
【実用新案登録請求の範囲】
【請求項１】
頬っ被り状の縫製物からなる垂れ耳犬用耳上げサポーターであって、当該縫製物には、２つの垂れ耳出し穴（３Ａ、３Ｂ）と垂れ耳出し穴間隔調整仕組み（４）とが備えられており、２つの垂れ耳出し穴（３Ａ、３Ｂ）の位置の間隔を調整することにより垂れ耳を上部に持ち上げることができる垂れ耳犬用耳上げサポーター。
(57)【要約】      （修正有）【課題】スポーツ、登山、リフレッシュ等において利用されている酸素缶をペット（小動物・犬・猫）のストレス解消、疲労回復、救急、救命処置に応用できる小動物用酸素吸入缶を提供する。【解決手段】マスクの部分に無色透明で外側の縁に伸縮性のあるシャワーキャップ型の部材を取り付ける。シャワーキャップ型マスクをペット（小動物・犬・猫）の顔（頭部）にすっぽりとかぶせることで酸素の漏れを防ぐ。また、マスクを無色透明にすることでヒト（飼い主）もペット（小動物・犬・猫）もお互いを目視できるため不安感が和らぐ。【選択図】図１
0003204352.tif 000002
【実用新案登録請求の範囲】
【請求項１】
ヒト用の酸素缶をペット（小動物・犬・猫）用に応用するためのものであって無色透明かつ外側の縁に伸縮性のあるシャワーキャップ型の部材を取り付ける。
【考案の詳細な説明】
【技術分野】
【０００１】スポーツ、登山、リフレッシュ等において利用されている酸素缶による酸素補給をペット（小動物・犬・猫）のストレス解消、疲労回復、救急、救命処置に応用する。
【背景技術】
【０００２】ヒト用のマスクでは適応範囲が限定されるため酸素が漏れる。
【考案の概要】
【考案が解決しようとする課題】
【０００３】酸素の漏れを防ぎ十分な量を吸入させる。
【課題を解決するための手段】
【０００４】マスクの部分に無色透明で外側の縁に伸縮性のあるシャワーキャップ型の部材を取り付ける。
【考案の効果】
【０００５】シャワーキャップ型マスクをペット（小動物・犬・猫）の顔（頭部）にすっぽりとかぶせることで酸素の漏れを防ぐ。また、マスクを無色透明にすることでヒト（飼い主）もペット（小動物・犬・猫）もお互いを目視できるため不安感が和らぐ。
【図面の簡単な説明】
【０００６】
【図１】図１は本考案の実施例に係る酸素吸入缶のイメージ図である。
【図２】図２は従来の酸素缶をペット（犬）に使用するイメージ図である。
【考案を実施するための形態】
【０００７】シャワーキャップ型マスクを使用することで酸素の漏れを防ぐことが実現した。
【図１】
0003204352.tif 000003
【図２】
0003204352.tif 000004
【手続補正書】
【提出日】平成28年3月7日(2016.3.7)
【手続補正１】
【補正対象書類名】実用新案登録請求の範囲
【補正対象項目名】全文
【補正方法】変更
【補正の内容】
【実用新案登録請求の範囲】
【請求項１】
ヒト用の酸素吸入缶をペット（小動物・犬・猫）用に応用するためのものであって無色透明かつ外側の縁に伸縮性のあるシャワーキャップ型の部材を取り付けることを特徴とする小動物用酸素吸入缶。
(57)【要約】      （修正有）【課題】露出が安定し、プラスチックマウントより強く長時間露出に強くなる高性能化カメラを提供する。【解決手段】レンズやボディのマウントを炭素繊維でできた高性能化カメラにする。レンズのバヨネットマウントの爪にボディの電子接点を設け、反射による画質明暗の誤差が広角レンズに見られる周辺光量不足を接点で金属マウントか黒のプラスチックマウントを判断して露出補正してそれぞれの適正露出を得る。【選択図】図１
0003204353.tif 000002
【実用新案登録請求の範囲】
【請求項１】
レンズやボディのマウントを炭素繊維でできた高性能化カメラにすることを特徴とする高性能化カメラ。
【請求項２】
レンズのバヨネットマウントの爪にボディの電子接点を設け、反射による画質明暗の誤差が広角レンズに見られる周辺光量不足を接点で金属マウントか黒のプラスチックマウントを判断して露出補正してそれぞれの適正露出を得ることを特徴とする請求項１記載の高性能化カメラ。
【請求項３】
ファインダースクリーンにはスプリットイメージのそばにプリズム一組のズレをイメージしそのズレは前後２つのイメージで合焦に必要な方向へ矢印をスクリーンに表示することを特徴とする請求項１記載の高性能化カメラ。
【請求項４】
フードとピントリングが一緒に回るレンズの場合、マクロ時にストロボが近い所はフードを短く、遠い所はそのままフードを長くしてハレ切り効果得ることを特徴とする請求項１記載の高性能化カメラ。
【考案の詳細な説明】
【技術分野】
【０００１】  本考案は、カメラ、デジタルカメラ、ビデオカメラ、定点カメラのボディやレンズあるいは一体形のピント合わせに関するものである。
【背景技術】
【０００２】  高級カメラのボディとレンズのマウントは金属マウントであった。マウントにはレンズマウント爪に接点はなかった。スプリットプリズムはマニュアルフォーカスカメラにはふつうのものしかなく多くの人は使い方を忘れている。フードは、高級タイプには花形フードしか目新しいものはない。
【考案の概要】
【考案が解決しようとする課題】
【０００３】  金属マウントレンズはフィルムカメラ交換レンズ式のカメラにとり付けて裏ブタを開けてバルブにしてミラーボックスをフィルム側から見ると金属レンズマウントが大抵中で反射して弧じように光っている。またマウントは金属の物と黒いプラスチック樹脂などの黒い物とではシビアに画質がちがった、マニュアルフォーカス一眼レフのファインダー中央は特に違いはない、フードはこれも特にユニークな物はない。【０００４】  ミラーボックスの中で撮影中にレンズマウントの反射で露出がだいぶ狂っていた、そのためレンズマウントの無反射化が必要だった。そのため金属マウントのレンズよりプラスチック樹脂マウントのレンズがだいぶアンダー気味である。そういうわけでこの結果だいぶ金属マウントが悪影響を適正露出にあたえていたことがわかる。だが電磁波に対しては、金属マウントがむいている。
【課題を解決するための手段】
【０００５】  レンズやボディのマウントを炭素繊維でできた高性能化カメラにすることを特徴とする高性能化カメラ。レンズのバヨネットマウントの爪にボディの電子接点を設け、反射による画質明暗の誤差が、広角レンズに見られる周辺光量不足を    接点で金属マウントか黒のプラスチックマウントを判断して露出補正してそれぞれの適正露出を得る。
ファインダースクリーンにはスプリット、イメージのそばにプリズム一組のズレをイメージしそのズレに前後２つのイメージで合焦に必要な方向へ矢印をスクリーンに表示する。フードとピントリングが一緒に回るレンズの場合マクロ時にストロボが近い所は短く、遠い所はそのまま、つまり幸いフードがオートフォーカスで回るため角度によってストロボがケラレやすいマクロ時にストロボに近い所はフードを短くして、遠い所はそのままフードを長くしてハレ切り効果を得るようにシーンを的にした角度について長さを設計する。その結果左右対称ではないがユニークで自動制御的フードが生れた。【０００６】  前記マウントを低反射のものにする。バヨネットマウントの爪の接点は一つでも二つでもよい。フードの欠けた所は、きめられた所で止められないとうまく機能しない。フードの欠けた所はレンズキャップを着けやすくするためでもある。【０００７】  前記マウントは反射光があたる部分に凸凹などのつや消し加工してできたマウントにする。
【考案の効果】
【０００８】  この炭素繊維マウントにあたって露出が安定する。プラスチックマウントより強く長時間露出に強くなる。
マウントが金属かプラスチックかハイブリットかそれを接点で爪との接続でわかる。それからファインダーのスクリーンの表示のある新しい新スクリーンに交換してどんなサイズのカメラでも素早く合焦する。【０００９】  接点の情報で撮影前にレンズを付けた時にそのレンズの適正露出が合うような設定される。
これでそのカメラはレンズメーカー製のレンズでも情報が得られ安定したメーカーのボディになる。一つのボディのファインダーに表示できればすべてのレンズが素早く合焦する。違うメーカーのレンズでピントリングが純正レンズの逆回転するものがありスクリーンを逆のスプリットプリズムのものに交換するしかない。回転が逆な左右逆フードもある。
【考案を実施するための形態】
【００１０】  主にバヨネットマウントの爪の反射を主に低下させるため加える。
【００１１】  マウントを一体成形するためパーツ膨張率も等しい。
バヨネットマウントの爪とボディとの接点の場所はボディマウントの上側か下側で反射の少ない所に設ける。このフードをつけて撮影するのにフードが長い側のストロボ光を強めの内蔵タイプにする。レンズフードは逆につけても転がらない。
【実施例】
【００１２】  以下、添付図面に従って一実施例を説明する。１は黒色のマウントである。ふだん炭素繊維は黒色をしていることが本考案のミソである。【００１３】  炭素繊維は通電するので２接点が一つ少なくてもうまく機能する。【００１４】  この３スクリーンで４ズレの線が頭に焼ついたらスクリーンが交換できないカメラでも合焦が速くなる。【００１５】  このフードの６欠けた所は、５丸形フードでおいてで一か所である。
【図面の簡単な説明】
【００１６】
【図１】本考案のマウントの断面図
【図２】本考案のマウントの爪の接点の正面図
【図３】本考案のスクリーンの平面図
【図４】本考案のフードの平面図
【符号の説明】
【００１７】１  黒色マウント
２  接点
３  スクリーン
４  ズレの線
５  丸形フード
６  欠けた所
【図１】
0003204353.tif 000003
【図２】
0003204353.tif 000004
【図３】
0003204353.tif 000005
【図４】
0003204353.tif 000006
(57)【要約】      （修正有）【課題】幾度でも繰り返しゲームができ、高齢者に癒しく、一人で何回でも安易に楽しむ事が出来るホワイトボ―ドの数独（ナンプレ）ゲームセットを提供する。【解決手段】ホワイトボードからなるゲーム盤１と、１〜９の数字が入った表裏色違いのゴム磁石の９組８１枚のナンバーパネル２及び、ホワイトボードペン３と、ボード消し５を備える。【選択図】図１
0003204357.tif 000002
【実用新案登録請求の範囲】
【請求項１】
ゲーム盤（１）と、ナンバーパネル（１〜９の数字が入った表裏色違いのゴム磁石が９組８１枚）（２）及び、ホワイトボードペン（３）と、ボード消し（５）を使ってゲームをする、ホワイトボードの数独（ナンプレ）ゲームである。
【考案の詳細な説明】
【技術の分野】
【０００１】本考案は、数独（ナンプレ）ゲームを、ホワイトボードで出来る様にしたものである。
【背景技術】
【０００２】  従来、数独（ナンプレ）は、鉛筆で数字を冊子に直接書き込みゲームをしていた。
そこで、幾度も繰り返してゲームができるように、ホワイトボードの数独（ナンプレ）ゲームが考案された。
【先行技術文献】
【０００３】  従来は、数独（ナンプレ）用冊子で、他に数独（ナンプレ）ボード等がある。
【非特許文献】
【０００４】「ナンプレボード」  ロイヤル工業株式会社（別紙２枚）
【考案の概要】
【考案が解決しようとする課題】
【０００５】従来、数独（ナンプレ）は、鉛筆で数字を冊子に直接書込むゲームで、現在、ナンプレボードまた、コンピューのゲームが考案されているが、高齢者に使いにくいゲームである
そこで本考案されたのが、  同じゲームが幾度もでき、また超難問数独（ナンプレ）問題にも簡単に挑戦でき、高齢者にも使いやすいホワイトボードの数独（ナンプレ）ゲームである。
【課題を解決するための手段】
【０００６】ゲーム盤が、ホワイトボード（ブリキ製）図１−（１）で数字の書き込みが簡単で、また、数字パネル図１−（２）がゴム磁石なので、何回でも簡単にゲームをすることができる。
【考案の効果】
【０００７】（１）  ホワイトボードで幾度でも繰り返してゲームができる。
（２）  幾度でも繰り返せるので、超難問にも挑戦しやすく高齢者にも使いやすい。
【図面の簡単な説明】
【０００８】
【図１】  本考案の平面図
【考案を実施するための形態】
【０００９】  ブリキ製白板に、縦・横９枠（将棋盤と同枠）の中で３枠ずつ区切ったゲーム盤（１）その、１枠に入るサイズの両面ゴム磁石で、裏・表色違いのパネル（２）に１〜９の数字の入ったものを９組の８１枚を利用して、数独（ナンプレ）冊子（４）のゲームを楽しむために考案された「ホワイトボードの数独（ナンプレ）ゲーム」である。
他に、数字のこき込み用のホワイトマーカー（３）と白板消し（５）を用意する。
〔選択図〕図１
本考案を図面に基づいて説明すれば。
図１は、縦横各９枠に区切られた数独（ナンプレ）用ホワイトボード（１）に、数独（ナンプレ）冊子（４）のゲームを見ながら数字パネル（２）を配置しホワイトボードペン（３）とホワイトボード消し（５）を使ってゲームをする。
【実施例】
【００１０】  本考案を図面に基づいて説明すれば、ゲーム盤（１）と、ナンバーパネル（１〜９の数字が入った表裏色違いのゴム磁石が９組８１枚）（２）及び、ホワイトボードペン（３）と、ボード消し（５）を使ってゲームをする、ホワイトボードの数独（ナンプレ）ゲームである。
【産業上の利用可能性】
【００１１】同じゲームを、幾度もでき、また、超難問の数独（ナンプレ）問題にも簡単に挑戦し、高齢者にも使い易くしたホワイトボードのゲーム盤である。
【符号の説明】１………………数独（ナンプレ）用ゲーム盤、ブリキ製の白板で、９枠に区切り、その中              でさらに、３枠に区切った盤
２………………ナンバーパネル（表裏色違いのゴム磁石で、１〜９の番号入りの９組８１              枚）
３………………ホワイトボードペン
４………………数独（ナンプレ）冊子
５………………ホワイトボード消し
【図１】
0003204357.tif 000003
【手続補正書】
【提出日】平成28年3月3日(2016.3.3)
【手続補正１】
【補正対象書類名】実用新案登録請求の範囲
【補正対象項目名】全文
【補正方法】変更
【補正の内容】
【実用新案登録請求の範囲】
【請求項１】
ホワイトボードからなるゲーム盤（１）と、１〜９の数字の入った表裏色違いのゴム磁石の９組８１枚のナンバーパネル（２）及び、ホワイトボードペン（３）と、ボード消し（５）を備えてなる、ホワイトボードの数独（ナンプレ）ゲームセット。